(57)【要約】【課題】高温化した燃料等を冷却するコイルチューブ式放熱器の冷却性能を向上させる。また、このような製品を樹脂材を用いて軽量で廉価に得るとともに、狭い床下等にも配設可能なレイアウトの自由度にも優れた製品とする。【解決手段】渦巻き状とした金属管１の外表面に樹脂層２を配設してコイルチューブ本体５を形成する。このコイルチューブ本体５の片面又は両面に、金属製のフィン部材６を、樹脂層２に基盤部７を固定して少なくとも一個突設する。【選択図】  図１
2005030676.tif 000002
【特許請求の範囲】
【請求項１】
渦巻き状とした金属管の外表面に樹脂層を配設して形成したコイルチューブ本体の片面又は両面に、金属製のフィン部材を、樹脂層に基盤部を固定して少なくとも一個突設した事を特徴とするコイルチューブ式放熱器。
【請求項２】
樹脂層は、渦巻き状に成形した金属管の外表面に、モールディング成形により樹脂材を配設して形成し、樹脂層内に金属管を埋設した事を特徴とする請求項１のコイルチューブ式放熱器。
【請求項３】
樹脂層は、予め金属管の外表面に配設したものであって、この樹脂層を配設した金属管を渦巻き状に成形してコイルチューブ本体を形成した事を特徴とする請求項１のコイルチューブ式放熱器。
【請求項４】
フィン部材は、樹脂層に固定する基盤部と、この基盤部に突設したフィンとから成り、前記基盤部に貫通孔を少なくとも一個設け、予め熱溶融させた樹脂層にフィン部材を押し付けて樹脂材を前記貫通孔を介して基盤部の表面側に流出させ固化させる事により、この固化した樹脂材にてフィン部材をコイルチューブ本体に固定した事を特徴とする請求項１、２又は３のコイルチューブ式放熱器。
【請求項５】
フィン部材は、樹脂層に固定する基盤部と、この基盤部に突設したフィンとから成り、前記基盤部に貫通孔を少なくとも一個設け、この貫通孔に係合可能な突起を樹脂層に突出形成し、フィン部材の基盤部の貫通孔から突出する樹脂層の突起を熱溶融させ固化させる事により、この固化した樹脂材にてフィン部材をコイルチューブ本体に固定した事を特徴とする請求項１、２又は３のコイルチューブ式放熱器。
【請求項６】
フィン部材は、樹脂層に固定する基盤部と、この基盤部に突設したフィンとから成り、予め熱溶融させた樹脂層にフィン部材を押し付けて、基盤部の長さ方向の両側から溶融した樹脂材を基盤部の表面側に流動させ固化させる事により、この固化した樹脂材にてフィン部材をコイルチューブ本体に固定した事を特徴とする請求項１、２又は３のコイルチューブ式放熱器。
【請求項７】
フィン部材は、樹脂層に固定する基盤部と、この基盤部に突設したフィンとから成り、この基盤部を樹脂層に接着剤及び／又は熱溶融させた樹脂材の接着力にて接着する事により、フィン部材をコイルチューブ本体に固定した事を特徴とする請求項１、２又は３のコイルチューブ式放熱器。
【請求項８】
コイルチューブ本体は、両面に幅狭な支持部材を少なくとも一対配置し、この両面の支持部材をコイルチューブ本体を介して接続手段により互いに接続した事を特徴とする請求項３、４、５、６又は７のコイルチューブ式放熱器。
【請求項９】
支持部材は、フィン部材を介してコイルチューブ本体の両面に配置し、接続手段により互いに接続する事で、支持部材にてフィン部材をコイルチューブ本体に固定する事を特徴とする請求項８のコイルチューブ式放熱器。
【請求項１０】
フィン部材は、端面形状をＬ字形、Ｕ字形、コ字形、又はＶ字形とする板状フィン又はピン状フィンであるか又はこれらを複数連結し端面形状を櫛歯形、鋸歯形、又は波形とする板状フィンである事を特徴とする請求項１、３、４、５、６、７又は８のコイルチューブ式放熱器。
【請求項１１】
樹脂層は、カーボンナノファイバーを含有させた事を特徴とする請求項１、３、４、５、６、７又は８のコイルチューブ式放熱器。
【請求項１２】
カーボンナノファイバーは、５ｗｔ％より多く３０ｗｔ％より少ない含有量で含有させた事を特徴とする請求項１１のコイルチューブ式放熱器。
【発明の詳細な説明】
【０００１】
【産業上の利用分野】
本発明は、自動車用、一般産業用のフューエルパイプ、オイルパイプ等の内部を流動する流体を、空冷により冷却するためのコイルチューブ式放熱器に係るものである。
【０００２】
【従来の技術】
【特許文献１】特開平７−１５８５３０号公報
【特許文献２】特開２０００−１２０４４２号公報
【特許文献３】特開平５−３２２４５７号公報
【０００３】
従来、複数の噴射ノズルを設けてエンジンの複数の気筒にガソリン等の燃料を供給するフューエルデリバリパイプが知られている。このフューエルデリバリパイプは、フューエルパイプを介して燃料タンクから導入された燃料を、複数の噴射ノズルから順次、エンジンの複数の吸気管又は気筒内に噴射し、この燃料を空気と混合し、この混合気を燃焼させる事によってエンジンの出力を発生させている。
【０００４】
そして、燃料タンクからフューエルデリバリパイプ内に余分に燃料が供給された場合、その余分の燃料を圧力レギュレーターにより燃料タンクに戻す回路を有するリターン方式が存在する。しかし、フューエルデリバリパイプは高温のエンジン気筒に近接して配置していたため、このフューエルデリバリパイプに供給された燃料は高温化する。この高温化した余分の燃料を燃料タンクに戻す事によって、燃料タンク内のガソリンの温度が上昇する。この温度上昇により、燃料が気化し、環境に悪影響を及ぼすものとなり好ましくないため、特許文献１、２に記載の発明の如く、フューエルクーラー等により高温化した燃料を水冷又は空冷等により冷却した後、燃料タンク等に戻す方式をとっていた。
【０００５】
また、エンジンの可動部分を潤滑するためのエンジンオイルは、エンジンの熱により高温化する事で、粘性が低下し潤滑性能が失われるため、特許文献１、２に示す如く、オイルパイプに連結したオイルクーラー等によりエンジンオイルを冷却した後、エンジンに戻していた。
【０００６】
上述の如きフューエルクーラー、オイルクーラー等の放熱器では、特にディーゼルエンジンの場合は、車輌の床下に設置するため、冷却水、カーエアコン用冷媒、その他の冷媒液による冷却ができず、特許文献２の如き空冷タイプのものが使用されている。この特許文献２では、フューエルパイプを設置するカバーに、冷却風の流動方向に直交して複数のフィン部材を突設し、このフィン部材によりフューエルパイプの外周に於いて冷却風を乱流化させ、フューエルパイプ内を流動する燃料の冷却を行おうとするものである。しかしながら、冷却風の乱流化だけでは、冷却効果の大きな向上は望めなかった。
【０００７】
そのため、他の異なる熱交換器では、フューエルパイプやオイルパイプ等の外周に、アルミダイキャスト成形により複数のフィンを突設したり、特許文献３に記載の如く、アルミ等の金属製の薄板フィンを、拡管により前記パイプの外周にかしめ固定していた。このフィン部材の配設により、放熱器の伝熱面積を増大させ、外気への放熱を促進して、燃料の冷却を行っていた。また、パイプをＵ字形或いは蛇行させて折曲する事でも、管長を長くして伝熱面積を増やし、冷却効果を高めようとしていた。
【０００８】
【発明が解決しようとする課題】
しかしながら、フューエルパイプやオイルパイプをＵ字状、蛇行状に折曲した場合では、管長を長くするのに限界があるし、放熱器が縦横方向に嵩張るものとなり、設置場所が限定されてレイアウトの自由度が低かった。また、アルミダイキャスト成形によりフィンを形成する場合、パイプの金属とアルミダイキャストフィンとの接着が、技術的に容易ではなかった。また、アルミダイキャストフィンは、加工技術上、ある程度肉厚とする必要があるため、重量が重くなり過ぎたり、外気への通風抵抗も増して冷却効果が低下する虞があった。また、アルミダイキャストフィンの内部に流体の流路を設ける手段もあるが、流路がアルミ製であると燃料への耐食性に問題を生じていた。
【０００９】
そこで、本発明者は、廉価であるとともに軽量で加工性に優れた樹脂に注目し、金属製の伝熱面と樹脂製の伝熱面との熱交換性能について比較したところ、金属製伝熱面に比べて樹脂製伝熱面は、条件にもよるが熱交換性能が４〜１５％程度しか劣化しない事を見出した。また、フィン部材の数を多くしたり、表面積が広くなるような形状でフィン部材を形成すれば、樹脂材の使用による４〜１５％程度の熱交換性能の劣化を補う事ができ、金属材のみの伝熱面と同等若しくはそれ以上の熱交換性能を得る事が可能であり、しかも加工が容易で軽量な製品が得られると言う結論を得た。
【００１０】
本発明は上述の如き課題を解決しようとするものであって、フューエルパイプやオイルパイプ等を流動する流体の空冷を行うためのコイルチューブ式放熱器を、樹脂材を使用して軽量で廉価に製作するとともに、この製作を容易な技術で行う事を目的とするものである。また、嵩張りを少なくし、床下等の狭い空間への設置が行い易くレイアウトの自由度の高い製品を得るものである。そして、樹脂材を使用していても、金属材のみで形成した製品と同等若しくはそれ以上の熱伝導性を得て、流体の冷却効果を向上させるものである。
【００１１】
【課題を解決するための手段】
本発明は上述の如き課題を解決するため、渦巻き状とした金属管の外表面に樹脂層を配設して形成したコイルチューブ本体の片面又は両面に、金属製のフィン部材を、樹脂層に基盤部を固定して少なくとも一個突設して成るものである。
【００１２】
また、樹脂層は、渦巻き状に成形した金属管の外表面に、モールディング成形により樹脂材を配設して形成し、樹脂層内に金属管を埋設しても良い。
【００１３】
また、樹脂層は、予め金属管の外表面に配設したものであって、この樹脂層を配設した金属管を渦巻き状に成形してコイルチューブ本体を形成しても良い。
【００１４】
また、フィン部材は、樹脂層に固定する基盤部と、この基盤部に突設したフィンとから成り、前記基盤部に貫通孔を少なくとも一個設け、予め熱溶融させた樹脂層にフィン部材を押し付けて樹脂材を前記貫通孔を介して基盤部の表面側に流出させ固化させる事により、この固化した樹脂材にてフィン部材をコイルチューブ本体に固定しても良い。
【００１５】
また、フィン部材は、樹脂層に固定する基盤部と、この基盤部に突設したフィンとから成り、前記基盤部に貫通孔を少なくとも一個設け、この貫通孔に係合可能な突起を樹脂層に突出形成し、フィン部材の基盤部の貫通孔から突出する樹脂層の突起を熱溶融させ固化させる事により、この固化した樹脂材にてフィン部材をコイルチューブ本体に固定しても良い。
【００１６】
また、フィン部材は、樹脂層に固定する基盤部と、この基盤部に突設したフィンとから成り、予め熱溶融させた樹脂層にフィン部材を押し付けて、基盤部の長さ方向の両側から溶融した樹脂材を基盤部の表面側に流動させ固化させる事により、この固化した樹脂材にてフィン部材をコイルチューブ本体に固定しても良い。
【００１７】
また、フィン部材は、樹脂層に固定する基盤部と、この基盤部に突設したフィンとから成り、この基盤部を樹脂層に接着剤及び／又は熱溶融させた樹脂材の接着力にて接着する事により、フィン部材をコイルチューブ本体に固定しても良い。
【００１８】
また、コイルチューブ本体は、両面に幅狭な支持部材を少なくとも一対配置し、この両面の支持部材をコイルチューブ本体を介して接続手段により互いに接続しても良い。
【００１９】
また、支持部材は、フィン部材を介してコイルチューブ本体の両面に配置し、接続手段により互いに接続する事で、支持部材にてフィン部材をコイルチューブ本体に固定しても良い。
【００２０】
また、フィン部材は、端面形状をＬ字形、Ｕ字形、コ字形、又はＶ字形とする板状フィン又はピン状フィンであるか又はこれらを複数連結し端面形状を櫛歯形、鋸歯形、又は波形とする板状フィンであっても良い。
【００２１】
また、樹脂層は、カーボンナノファイバーを含有させても良い。
【００２２】
また、カーボンナノファイバーは、５ｗｔ％より多く３０ｗｔ％より少ない含有量で含有させても良い。
【００２３】
【作用】
本発明は上述の如く構成したものであるから、ディーゼルエンジンの燃料等、高温化した流体が金属管内を流動すると、この流体の熱が金属管の表面に伝熱された後、樹脂層を介してフィン部材に伝熱され、更にはフィン部材の外周を流動する冷却風や外気中に放熱される事により、流体の冷却が行われる。そして、本発明では金属管を渦巻き状に配設しているから、Ｕ字状、蛇行状に配設した場合に比べ、コイルチューブ本体内での流体の流路を長くする事が可能となる。例えば、外径が８ｍｍの金属管を最大径２００ｍｍ程度に巻き回すと、コールドプレート本体の金属管は全長で３ｍ以上となる。
【００２４】
従って、樹脂材を使用していても伝熱面積を増大させる事が可能となり、冷却効果を向上させる事ができる。また、渦巻き状に金属管を配設する事により、Ｕ字状、蛇行状に比べ、曲線部の曲率半径が大きく、湾曲が緩やかとなり、流体の圧力損失が少ないものとなる。従って、流体から金属管への熱伝導性が高まり、流体の冷却性能をより高める事ができる。
【００２５】
また、樹脂材の使用により、アルミダイキャスト製品等の全体を金属材で形成した製品に比べ、軽量で廉価な製品を得る事ができる。更に、金属管をほぼ密着させて渦巻き状に巻き回しているので、空間効率良くコイルチューブ本体を成型する事ができ、平面方向の形成幅を小さくする事が可能となるとともに、厚み方向にも嵩張らない偏平なものとなる。従って、コイルチューブ本体のコンパクト化が可能となり、床下等の狭い空間への設置が可能で、レイアウトの自由度の高い製品となる。また、金属管の外周に樹脂層を配設する事により、雨水や泥水等に対するコイルチューブ本体の耐食性が向上するとともに、樹脂材の弾力性により、飛び石等に対する耐久性も向上する。
【００２６】
また、樹脂層を介して金属管とフィン部材とを接続するので、溶接やろう付け等を考慮する必要がなく、何れの金属材で形成しても良いものとなる。例えば金属管は燃料等に対する耐食性の高いステンレス鋼で形成し、フィン部材は軽量なアルミで形成する事もできる。
【００２７】
また、本明細書で言う樹脂層への基盤部の固定とは、例えば、樹脂層を熱溶融させて基盤部の一部又は全体を樹脂層に埋設して固定しても良い。また、樹脂材の熱溶融による接着力を利用して、基盤部を樹脂層に接着しても良いし、接着剤の塗布により樹脂層に基盤部を接着しても良い。また、樹脂材の熱溶融と接着剤の双方の接着力により樹脂層に基盤部を接着しても良い。また、樹脂層にフィン部材を密着固定する事が可能であれば、樹脂材や接着剤を用いる事なく、ステー等の支持部材によりフィン部材を樹脂層に密着固定させる等、他の何れの手段により行っても良いものである。何れの場合でも、アルミダイキャスト成形や、パイプの拡管によるフィン部材の形成、金属材の溶接やろう付け等によるフィン部材の形成に比べ、簡単な技術で容易に製作する事ができる。
【００２８】
また、金属管への樹脂層の配設は、金属管を渦巻き状に成形した後、この渦巻き状の金属管の外周全体に樹脂材を、射出成形やディッピングによりモールディングし、金属管を樹脂材に埋設しても良い。また、金属管の外周に樹脂被膜を設ける等により、外周に予め樹脂層を設けて金属管を形成し、この樹脂層を外装した金属管を渦巻き状に成形してコイルチューブ本体を形成しても良い。また、他の異なる手段により、金属管に樹脂層を配設しても良い。
【００２９】
【実施例】
以下、本発明を自動車のディーゼルエンジン用のフューエルクーラーで実施した例を図面に於て詳細に説明する。図１は第１実施例のフューエルクーラーの斜視図で、コイルチューブ本体の両面に櫛歯形のフィン部材を突設し、基盤部に設けた貫通孔から熱溶融させた樹脂層の樹脂材を流出させて固化する事で、基盤部を樹脂層に固定している。図２はフィン部材のコイルチューブ本体への接続前の斜視図である。図３は図１のＡ−Ａ線拡大断面図である。また、図４は円形の渦巻き状に成形した金属管の平面図である。また、図５は角形の渦巻き状に成形した金属管の平面図である。
【００３０】
また、図６は第２実施例で、樹脂層に複数の突起を突設したコイルチューブ本体と、その突起を係合する貫通孔を基盤部に設けたフィン部材の分解斜視図である。図７は第３実施例のフューエルクーラーの斜視図で、端面形状をパルス波形とし幅狭なフィン部材を複数個コイルチューブ本体に配設し、フィン部材の両端部から基盤部表面に流動した樹脂材にて基盤部を固定している。図８は第４実施例のフューエルクーラーの断面図で、端面形状が鋸歯形のフィン部材を複数個コイルチューブ本体に配設している。
【００３１】
また、図９は第５実施例のフューエルクーラーの平面図で、予め樹脂層を配設した金属管を円形の渦巻き状に成形して得たコイルチューブ本体に、端面形状がＬ字形のフィン部材を樹脂材の熱溶融により複数固定するとともにコイルチューブ本体を、十字形に配設した支持部材にて支持固定している。図１０は図９のＢ−Ｂ線断面図で、図１１は図９のＣ−Ｃ線断面図である。また、図１２は第６実施例のフューエルクーラーの平面図で、端面形状がＵ字形のフィン部材を樹脂材の熱溶融により複数固定している。図１３は図１２のＤ−Ｄ線断面図である。
【００３２】
また、図１４は第７実施例のフューエルクーラーの平面図で、端面形状がＬ字形の複数のフィン部材を接着剤によりコイルチューブ本体に接着固定するとともに、このフィン部材とコイルチューブ本体とを支持部材によって挟持固定している。図１５は図１４のＥ−Ｅ線断面図である。
【００３３】
また、図１６は第８実施例のフューエルクーラーの平面図で、端面形状がＵ字形のフィン部材を、支持部材の挟持力と樹脂層の接着力によりコイルチューブ本体に固定し、更に各フィン部材の両端を両側支持部材により接続固定している。図１７は図１６のＦ方向から見た側面図である。
【００３４】
尚、本発明ではコイルチューブ本体に樹脂材を用いるが、この樹脂材は何れのものを用いても良い。また、モノマーキャストナイロン、ポリアミドイミド、ポリペンズイミダゾール、ポリエーテルエーテルケトン、ポリエーテルイミド、ポリエーテルサルホン、ポリイミド、ポリフェニレンサルファイド、ポリサルフォン、ポリテトラフルオロエチレン、テトラフルオロエチレン−パーフルオロアルコキシアルカン、フルオロエチレン−プロピレン、ポリクロロトリフルオロエチレン、テトラフルオロエチレン−エチレン、エチレンクロロトリフルオロエチレン等の樹脂材を使用する事により、熱交換性能が優れるだけでなく、耐食性や耐熱性にも優れるフューエルクーラーを得る事ができる。また、フューエルクーラーだけでなく、オイルクーラー、ＥＧＲガス冷却装置、その他のコイルチューブ式放熱器の熱交換性能、耐食性、耐熱性、耐久性を向上させる事ができる。
【００３５】
更に好ましくは、上述の如き樹脂材にカーボンナノファイバーを混入する事により、樹脂層の熱伝導性を向上させる事が可能となり、金属管内部を流動する燃料等の流体から金属管の表面に伝達された熱を、樹脂層のカーボンを介して迅速にフィン部材に伝達する事ができ、フューエルクーラーの冷却性能を高める事ができる。また、上記ナノカーボンは、５ｗｔ％より多く３０ｗｔ％より少ない含有量で含有させる事で、樹脂材の熱伝導性を向上させる事ができ、フューエルクーラーの放熱特性の高い向上が可能となる。この含有量を５ｗｔ％以下とすると、伝熱効果の向上に乏しく、３０ｗｔ％以上を樹脂材に含有させるのは困難で、生産性が低下するとともに高価で、伝熱効果に大きな差を生じない。尚、本明細書で言うカーボンナノファイバーとは、ナノテクノロジー分野に於いて、カーボンナノチューブ、カーボンナノホーン、その他ナノ単位のカーボン材料を全て含んだ総称を示すものである。
【００３６】
上記樹脂材等を用いたフューエルクーラーの第１実施例を、図１〜図５に基づいて詳細に説明すると、（１）は金属管で、鉄、ステンレス鋼、銅、黄銅、アルミ、その他で形成している。また、内外表面の耐食性を高めるため、前記金属管（１）の表面に亜鉛、亜鉛−アルミ合金、亜鉛−錫合金、又は亜鉛−ニッケル合金等の犠牲腐食性めっき処理を施しても良い。
【００３７】
このような金属管（１）を図４に示す如く、水平方向に円弧状に巻き回して、外形が円形となるように渦巻き状に成形するとともに、この渦巻き状の金属管（１）への燃料の流入側と流出側に、各々耐食性のステンレスで形成した流入管（３）と流出管（４）とを、ろう付けにより接続している。また、金属管（１）は、図５に示す如く、直線部と曲線部を設けて巻き回し、外形が角形となるような渦巻きとしても良い。
【００３８】
そして、上述の如き円形又は角形の渦巻き状金属管（１）の外周に、前述の如き樹脂材を、射出成形やディッピングによりモールディングする事により、金属管（１）の外周全体に樹脂層（２）を配設して、コイルチューブ本体（５）を矩形状に形成している。また、樹脂のモールディング時は、渦巻き状の金属管（１）の外周全体が樹脂材に埋設されるように加工し、流入管（３）と流出管（４）とは、図２に示す如く、コイルチューブ本体（５）から外部に突出させる。このように、渦巻き状の金属管（１）全体を樹脂材で被覆する事により、金属管（１）が固定されて燃料の流動圧や車輌の振動等による金属管（１）のブレ等を防止する事が可能となるし、雨水や泥水等に対する耐食性も向上する。
【００３９】
また、上記コイルチューブ本体（５）に突設するフィン部材（６）は、図２に示す如く、アルミ板をＬ字形に連続して折曲し、端面形状を櫛歯形に形成している。そして、樹脂層（２）に固定する基盤部（７）と、この基盤部（７）から外方に突出する平板状のフィン（８）とを複数設けている。また、フィン部材（６）は、図１に示す形成長さａ及び形成幅ｂを、コイルチューブ本体（５）の形成長さと形成幅とほぼ同一寸法で形成する。更に、フィン部材（６）は、樹脂層（２）への固定のため、複数の基盤部（７）に、２つおきに貫通孔（１０）を複数開口している。尚、樹脂層（２）は、表面に何等凹凸を設けず、両面を平滑に形成している。
【００４０】
上述の如く形成したフィン部材（６）を、コイルチューブ本体（５）の両面に接続するには、まず、樹脂層（２）の表面全体を超音波振動や高周波誘導等の適宜の加熱手段で加熱して溶融させる。この溶融状態の樹脂層（２）の表面に、前記フィン部材（６）の基盤部（７）を押し付ける事により、溶融した樹脂材が基盤部（７）の貫通孔（１０）から基盤部（７）の表面側に流出し、基盤部（７）の表面を貫通孔（１０）よりも広幅な面積で広がりながら流動する。この流動した樹脂材が、基盤部（７）の表面で冷えて固化する事により形成される止着部（９）によって、基盤部（７）が樹脂層（２）に固定され、コイルチューブ本体（５）の両面にフィン部材（６）が接続されるものとなる。従って、アルミダイキャスト成形、金属管の拡管、ろう付け、溶接等でフィン部材を金属管に接続する場合に比べて、容易な製作が可能となる。
【００４１】
尚、渦巻き状の金属管（１）の流入管（３）との接続側は、渦巻き部分と立体的に交わるから、図１、図２に示す如く、コイルチューブ本体（５）の流入管（３）側が外方に突出している。これを考慮して、本実施例では、流入管（３）位置に配置する基盤部（７）を弧状に形成し、フィン（８）を短尺に突設している。また、他の異なる手段として、フィン部材（６）の一部を切り欠いて、流入管（３）側の突出位置には基盤部（７）とフィン（８）とを設けないようにしても良い。
【００４２】
上述の如く形成したフューエルクーラー（１１）を、車輌の床下に於いてフューエルデリバリパイプ（図示せず）と燃料タンク（図示せず）との間に設置し、フューエルデリバリパイプ内に余分に供給された高温の燃料を冷却して燃料タンクに戻す事を可能としている。そして、本発明のフューエルクーラー（１１）は、金属管（１）を平面方向に渦巻き状に成形しているから、厚み方向に嵩張らず、床下等の狭い空間にも設置が可能であるとともに、アルミダイキャスト成形等に比べて非常に軽量なものとなり、車輌への設置に好ましい製品となる。
【００４３】
そして、フューエルデリバリパイプから本発明のフューエルクーラー（１１）に、高温化した燃料が供給されると、この燃料は流入管（３）を介して渦巻き状の金属管（１）内に流入する。この金属管（１）を渦巻き状として燃料の流路を長く形成しているから、伝熱面積を増大させる事ができ、燃料の熱を効率的に金属管（１）の表面に伝熱させる事ができる。そして、この金属管（１）が受熱した熱は、樹脂層（２）を介してフィン部材（６）の基盤部（７）に伝熱され、フィン部材（６）に複数突設し伝熱面積を増大させたフィン（８）を介して、効率的に外気や冷却風に放熱され、優れた冷却性能を得る事ができる。
【００４４】
また、樹脂層（２）にカーボンナノファイバーを混入した場合には、金属管（１）と樹脂層（２）、更には樹脂層（２）とフィン部材（６）との熱伝導性が、金属製品と同等に高くする事ができる。そして、燃料の熱を効率的にフィン部材（６）に伝熱させて外気や冷却風に放熱させる事ができ、フューエルクーラー（１１）は、更に優れた冷却性能を得る事ができる。
【００４５】
また、上記第１実施例では、樹脂層（２）へのフィン部材（６）の固定は、表面が平滑な樹脂層（２）を熱溶融させ、基盤部（７）の貫通孔（１０）から流出する樹脂材を固化させた止着部（９）で行っているため、金型が単純となりモールディング加工も容易であるし、樹脂層（２）にフィン部材（６）を押し付けるだけで固定が行える。これに対して、他の異なる第２実施例では図６に示す如く、基盤部（７）の貫通孔（１０）に対応して、樹脂層（２）に複数の突起（１２）を突設している。この突起（１２）は、金属管（１）の外周に樹脂層（２）を配設する際に、射出成形等によるモールディング時に、樹脂層（２）と一体に容易に設ける事ができる。
【００４６】
そして、上記突起（１２）と基盤部（７）の貫通孔（１０）とを係合して、突起（１２）を基盤部（７）の表面側に突出させた後、この突出部分を加熱して溶融させ固化させる事により止着部（９）が形成され、この止着部（９）により基盤部（７）が樹脂層（２）に固定されるものとなる。このように、少なくとも樹脂層（２）側に予め設けた突起（１２）のみを熱溶融させる事により、樹脂層（２）全体を加熱する必要がなく、エネルギー効率が良好であるとともに、樹脂材の冷却による固化も迅速なものとなる。
【００４７】
また、上記第１、第２実施例では、フィン部材（６）の端面形状を櫛歯形とし、基盤部（７）の貫通孔（１０）から流出する樹脂材又は突起（１２）によりフィン部材（６）を樹脂層（２）に固定している。これに対して、他の異なる第３実施例では図７に示す如く、板部材をコ字形に連続して折曲し、フィン部材（６）の端面形状をパルス波形状に形成し、基盤部（７）には貫通孔（１０）を設けずに形成している。更に、第３実施例では、フィン部材（６）の形成長さａはコイルチューブ本体（５）の形成長さとほぼ同一としているが、形成幅ｂをコイルチューブ本体（５）よりも幅狭に形成している。そして、この幅狭なフィン部材（６）を複数、互いに間隔を介してコイルチューブ本体（５）の両面幅方向に配設している。
【００４８】
そして、各フィン部材（６）を樹脂層（２）に固定するには、樹脂層（２）全体を加熱して溶融させ、フィン部材（６）を樹脂層（２）に押し付けると、樹脂層（２）の溶融した樹脂材が、図７に示す如く、コイルチューブ本体（５）よりも幅狭な形成幅ｂ方向の間隔から流出し、この流出した樹脂材が基盤部（７）の表面側に流動して固化する。そして、この表面側で固化した樹脂材の止着部（９）によって基盤部（７）が樹脂層（２）に固定される。このように、貫通孔（１０）を開口しなくても、基盤部（７）を樹脂層（２）に固定する事ができ、本実施例の如く幅狭なフィン部材（６）をコイルチューブ本体（５）に接続する際等に適したものである。
【００４９】
また、図８に示す第４実施例は、板部材をＶ字形に連続して折曲し、フィン部材（６）の端面形状を鋸歯形としている。また、第３実施例と同様にフィン部材（６）の形成長さをコイルチューブ本体（５）の形成長さとほぼ同一とし、形成幅をコイルチューブ本体（５）の形成幅よりも幅狭に形成している。そして、図８に示す如く、樹脂層（２）側のＶ字の基端部を基盤部（７）とし、この基盤部（７）からフィン（８）を外方に突設している。このようなフィン部材（６）を、熱溶融させた樹脂層（２）に押し付けて、コイルチューブ本体（５）よりも幅狭な形成幅方向の間隔から樹脂材を流出させ、この流出した樹脂材を基盤部（７）の表面側に流動させ固化させる。そして、この樹脂材の固化により形成される止着部（９）によって、フィン部材（６）をコイルチューブ本体（５）に接続している。勿論、Ｖ字の基盤部（７）に、貫通孔（１０）を設け、この貫通孔（１０）から流出する樹脂層（２）の樹脂材や、樹脂層（２）に設けた突起（１２）により、基盤部（７）を樹脂層（２）に固定するものであっても良い。
【００５０】
また、上記第１〜第４実施例では、金属管（１）を渦巻き状に成形した後、その外周に樹脂材をモールディングして樹脂層（２）を設けているが、図９〜図１７に示す第５〜第８実施例では、金属管（１）の製造時に、予めこの金属管（１）の外周に樹脂被膜を配設し、この樹脂被膜を樹脂層（２）とする事により、樹脂材による射出成形やディッピング等のモールディング作業を省いている。
【００５１】
上記各実施例で使用する金属管（１）は、鉄、ステンレス鋼、銅、黄銅、アルミ等の金属管（１）の外周に亜鉛、亜鉛−アルミ合金、亜鉛−錫合金、亜鉛−ニッケル合金等の犠牲腐食性めっき処理を施している。そして、その外面に肉厚５０μｍのＰＡ樹脂被膜を配設し、このＰＡ樹脂被膜の外面に肉厚１ｍｍのＰＰ樹脂被膜を配設する事で、金属管（１）の外周に樹脂層（２）を設けている。そして、このような金属管（１）を、円形又は角形の渦巻き状に成形するだけで、図１１に示す如く、金属管（１）の外表面にＰＡ樹脂被膜とＰＰ樹脂被膜とから成る樹脂層（２）を配設したコイルチューブ本体（５）を得る事ができ、製作工程が容易なものとなる。
【００５２】
また、金属管（１）全体に樹脂層（２）を配設しているので、雨水や泥水等による耐食性が得られるとともに、コイルチューブ本体（５）から燃料供給側及び燃料排出側に突出させる流入管（３）と流出管（４）とを、渦巻き部分と同一の金属管（１）で形成する事ができ、第１実施例等の如く、耐食性を持たせて別個に形成した流入管（３）と流出管（４）とを、ろう付けや溶接等により渦巻き状の金属管（１）に接続する手間等がない。
【００５３】
上述の如く渦巻き状の金属管（１）を使用した、図９〜図１１に示す第５実施例を詳細に説明する。まず、金属管（１）を渦巻き状としただけは、コイルチューブ本体（５）の両面に凹凸を生じ、樹脂層（２）とフィン部材（６）の基盤部（７）との接触面積が少なくなって固定性が低下したり、車輌の振動や流体の流動等により、金属管（１）がブレを生じ、更にはフィン部材（６）でもブレやコイルチューブ本体（５）からの脱落等を生じる可能性がある。
【００５４】
そのため、第５実施例では図９に示す如く、コイルチューブ本体（５）の両面に、幅狭な一方及び他方の支持部材（１５）（１６）（ステー）を十文字形に配設している。そして、対向する一対の一方の支持部材（１５）及び一対の他方の支持部材（１６）の両端と中央を、各々ボルト（１７）とスペーサー（１８）等から成る接続手段により接続し、渦巻き状金属管（１）を両側から挟持固定している。これにより、金属管（１）が固定され、コイルチューブ本体（５）の両面の凹凸が解消されるので、後工程のフィン部材（６）の固定を行い易くなるとともに、金属管（１）やフィン部材（６）のブレや脱落等も防止する事が可能となる。
【００５５】
また、一方及び他方の支持部材（１５）（１６）は長さ方向の両側縁に、図９、図１１に示す如く、リブ（２０）を直交方向に突設する事により、一方及び他方の支持部材（１５）（１６）の剛性を高め、コイルチューブ本体（５）の固定性を強固とするとともに、変形等を防止している。また、図９で上下方向に配置した一方の支持部材（１５）と、左右方向に配置した他方の支持部材（１６）とが互いに交差し、且つ双方の支持部材（１５）（１６）の表面が確実に樹脂層（２）に当接して固定されるように、他方の支持部材（１６）の中央には、リブ（２０）を突設していない。更に、図１１に示す如く、一方の支持部材（１５）は、他方の支持部材（１６）の肉厚分、中央を台形状に突設し、この突設部分を他方の支持部材（１６）の中央に係合し、中央以外の内面を樹脂層（２）に確実に当接させている。
【００５６】
そして、一方及び他方の支持部材（１５）（１６）で４つの扇形に区画されたコイルチューブ本体（５）の両面に、端面形状をＬ字形とする板状のフィン部材（６）を複数個、一方の支持部材（１５）と平行に配設している。尚、これら複数のフィン部材（６）は、各区画の扇形の形状に対応させて、一方の支持部材（１５）に最も近いフィン部材（６）を最も長尺とし、一方の支持部材（１５）から離れるに従って短尺に形成する事により、略円形のフューエルクーラー（１１）を得ている。
【００５７】
この第５実施例に於いても、図９、図１０に示す如く、各フィン部材（６）の基盤部（７）に、一個又は複数の貫通孔（１０）を開口している。そして、ＰＡ樹脂被膜とＰＰ樹脂被膜とから成る樹脂層（２）を熱溶融させ、この樹脂層（２）にフィン部材（６）を押し付け、貫通孔（１０）を介して基盤部（７）の表面側に樹脂材を流出させ固化させる事で形成された止着部（９）により、基盤部（７）を樹脂層（２）に固定している。
【００５８】
また、上記第５実施例では、端面形状がＬ字形のフィン部材（６）をコイルチューブ本体（５）の両面に接続しているが、他の異なる第６実施例では、図１３に示す如く、端面形状がＵ字形のフィン部材（６）を接続固定している。また、第６実施例では、第５実施例と同様に、図１２、図１３に示す如く、コイルチューブ本体（５）を、十字形に配設した一方及び他方の支持部材（１５）（１６）にて支持固定している。
【００５９】
上記第５、第６実施例に於いて、まず第５実施例の如く、フィン部材（６）をＬ字形とする事により、金属材の使用が少なく、より軽量なフューエルクーラー（１１）を得る事ができる。一方、第６実施例の如く、フィン部材（６）をＵ字形とする事により、フィン部材（６）の伝熱面積を増大させる事ができ、放熱特性を向上させて、フューエルクーラー（１１）の冷却性能を高める事ができる。
【００６０】
また、上記第５、第６実施例では、十文字形に配設した支持部材（１５）に仕切られた４つの区画（両面で８区画）に、一方及び他方の支持部材（１５）（１６）に接触する事なくフィン部材（６）を配設しているが、他の異なる第７実施例では、図１４、図１５に示す如く、端面形状をＬ字形とし、コイルチューブ本体（５）の形成長さよりやや長尺に形成したフィン部材（６）を複数個、コイルチューブ本体（５）の両面に他方の支持部材（１６）と平行に設けている。
【００６１】
そして、この長尺なフィン部材（６）は、樹脂層（２）と基盤部（７）との間に塗布した接着剤により接着固定するとともに、フィン部材（６）を、これとらと直交する一方の支持部材（１５）にて挟持して、コイルチューブ本体（５）に固定している。このように、フィン部材（６）を接着剤による接着だけでなく、一方の支持部材（１５）にて挟持固定する事により、フィン部材（６）の固定性が高まり、燃料の流動圧や振動等によるフィン部材（６）のブレや脱落等を防止する事ができる。そして、フィン部材（６）からの放熱による優れた冷却性能を持続させる事ができる。
【００６２】
また、この第７実施例の場合も、他方の支持部材（１６）側のフィン部材（６）の形成長さを最も長尺とし、他方の支持部材（１６）から離れるに従って、フィン部材（６）の長さを徐々に短尺とする事により、フューエルクーラー（１１）の外形を略円形としている。更に、図１５に示す如く、一方の支持部材（１５）で挟持する部分には、基盤部（７）にフィン（８）を突設せずに形成している。
【００６３】
また、上記第７実施例では、複数のフィン部材（６）の中央を一方の支持部材（１５）で挟持してコイルチューブ本体（５）に固定しているが、図１６、図１７に示す他の異なる第８実施例では、更に各フィン部材（６）の両端を両側支持部材（２１）にて互いに接続固定している。まず、第８実施例では、端面形状をＵ字形とするとともに他方の支持部材（１６）と同一長さとするフィン部材（６）を、複数個同一形状で形成する。また、コイルチューブ本体（５）の両端部に配置される両面それぞれ２枚のフィン部材（６）には、両端にボルト（１７）の挿通用の孔を開口するとともに、一方の支持部材（１５）と交差する中央には、フィン（８）を突設せずに形成している。
【００６４】
そして、コイルチューブ本体（５）の両面に、上記フィン部材（６）を接続するには、樹脂層（２）を熱溶融し、その表面に、他方の支持部材（１６）の配設位置を避けて、この他方の支持部材（１６）と同一長さとする複数のフィン部材（６）を順次配設する。これらのフィン部材（６）は、樹脂層（２）が冷却固化する際の樹脂材の接着力によっても、樹脂層（２）に接着されるものである。次に、他方の支持部材（１６）を、コイルチューブ本体（５）の中央に、フィン部材（６）と平行に配設し、この他方の支持部材（１６）とフィン部材（６）に十文字形に交差するよう、一方の支持部材（１５）を配設する。そして、一方の支持部材（１５）の両端と、一方及び他方の支持部材（１６）とが交差する中心部を、スペーサー（１８）を介してボルト（１７）にて接続する。
【００６５】
更に、コイルチューブ本体（５）の一面側と他面側の双方から突出するフィン部材（６）と、他方の支持部材（１６）の各両端の上面及び下面に、両側支持部材（２１）を配設するとともに、一面側と他面側のフィン部材（６）の間に、図１７に示す如く、端面形状がコ字形の補強材（２２）を配設している。そして、両側支持部材（２１）の両端で、この両側支持部材（２１）及びフィン部材（６）、補強材（２２）とをボルト（１７）にて接続固定し、両側支持部材（２１）の中央では、両側支持部材（２１）及び他方の支持部材（１６）、フィン部材（６）、補強材（２２）とをボルト（１７）にて接続固定している。
【００６６】
上述の如く、第８実施例では、フィン部材（６）を樹脂材の接着力、及び一方の支持部材（１５）で固定するだけでなく、両端を両側支持部材（２１）で固定する事により、フィン部材（６）のブレやコイルチューブ本体（５）からの脱落等の防止効果が高まり、フューエルクーラー（１１）の耐久性や使用性が向上して、燃料の良好な冷却が可能となる。
【００６７】
また、上記各実施例では、必要に応じて樹脂層（２）を形成する樹脂材にカーボンナノファイバーを混入して樹脂層（２）の熱伝導性を高めている。しかし、樹脂層（２）の熱伝導性を向上させる他の異なる実施例として、前記樹脂材にカーボンナノファイバー以外の金属粉末や、ガラス繊維等を混合したり、樹脂層（２）の表面に金属粉末等を混合した塗料を塗布したり、樹脂層（２）に金属をめっき或いは蒸着等させても良い。また、黒色の樹脂材を使用しても良い。
【００６８】
また、上記各実施例では、フィン部材（６）の長尺な基盤部（７）に、この基盤部（７）と同様に長尺な平板状のフィン（８）を突設しているが、長尺な基盤部（７）に、ピン状にフィンを突設しても良い。また、ピン状フィンは、基盤部（７）を短尺に形成し、この基盤部（７）と同一長さでフィンを突設して形成したものであっても良い。
【００６９】
また、上記各実施例では、フューエルクーラー（１１）で実施しているが、エンジンを潤滑させるためのエンジンオイル、ミッションオイル、ＡＴＦを冷却するオイルクーラーで実施する事も可能である。また、空冷による各種放熱器での実施も可能で、冷却効果が高く、軽量で小型であり、床下等の狭い場所等への設置も可能なレイアウトの自由度の高い製品となる。
【００７０】
【発明の効果】
本発明は上述の如く構成したものであり、樹脂材の使用により、軽量で廉価なコイルチューブ式放熱器を、容易な技術で製作する事が可能となる。また、金属管を渦巻き状に成形して、偏平形状としているので、厚み方向への嵩張りが少なく、床下等の狭い空間への設置も可能で、レイアウト性に優れた製品を得る事ができる。そして、フィン部材の突設により、樹脂材を使用していても、金属材のみで形成した製品と同等若しくはそれ以上の熱伝導性を得て、流体の冷却効果を向上させる事ができる。
【図面の簡単な説明】
【図１】本発明の第１実施例のフューエルクーラーの斜視図。
【図２】フィン部材とコイルチューブ本体との分解斜視図。
【図３】図１のＡ−Ａ線断面図。
【図４】円形の渦巻き状とした金属管の平面図。
【図５】角形の渦巻き状とした金属管の平面図。
【図６】本発明の第２実施例のフューエルクーラーの分解斜視図。
【図７】本発明の第３実施例のフューエルクーラーの斜視図。
【図８】本発明の第４実施例のフューエルクーラーの断面図。
【図９】本発明の第５実施例のフューエルクーラーの平面図。
【図１０】図９のＢ−Ｂ線断面図。
【図１１】図９のＣ−Ｃ線断面図。
【図１２】本発明の第６実施例のフューエルクーラーの平面図。
【図１３】図１２のＤ−Ｄ線断面図。
【図１４】本発明の第７実施例のフューエルクーラーの平面図。
【図１５】図１４のＥ−Ｅ線断面図。
【図１６】本発明の第８実施例のフューエルクーラーの平面図。
【図１７】図１６のＦ方向からの側面図。
【符号の説明】
１    金属管
２    樹脂層
５    コイルチューブ本体
６    フィン部材
７    基盤部
８    フィン
１０    貫通孔
１２    突起
１５    一方の支持部材
１６    他方の支持部材
１７    ボルト（本発明の接続手段）
２１    両側支持部材
【図１】
2005030676.tif 000003
【図２】
2005030676.tif 000004
【図３】
2005030676.tif 000005
【図４】
2005030676.tif 000006
【図５】
2005030676.tif 000007
【図６】
2005030676.tif 000008
【図７】
2005030676.tif 000009
【図８】
2005030676.tif 000010
【図９】
2005030676.tif 000011
【図１０】
2005030676.tif 000012
【図１１】
2005030676.tif 000013
【図１２】
2005030676.tif 000014
【図１３】
2005030676.tif 000015
【図１４】
2005030676.tif 000016
【図１５】
2005030676.tif 000017
【図１６】
2005030676.tif 000018
【図１７】
2005030676.tif 000019